(57)【要約】  本発明はクロスフェード装置（１００）を備えるレーダターゲットエミュレータ（１）に関し、クロスフェード装置は、第一の信号を受信するために設けられている第一の入力部（１１０ａ）と、第二の信号を受信するために設けられている第二の入力部（１１０ｂ）と、信号伝送式に前記第一の入力部（１１０ａ）に接続されているとともに、前記第一の信号を、特に所定の程度で減衰させ、第一の減衰信号を供給するために構成されている第一の減衰装置（１２０ａ）と、信号伝送式に前記第二の入力部（１１０ｂ）に接続されているとともに、前記第二の信号を、特に所定の程度で減衰させ、第二の減衰信号を供給するために構成されている第二の減衰装置（１２０ｂ）と、前記第一の減衰信号と前記第二の減衰信号を加算し、対応する出力信号を出力するために構成されている加算装置（１３０）と、を有する。
2020503523.tif 000002
【特許請求の範囲】
【請求項１】
クロスフェード装置（１００）を備えるレーダターゲットエミュレータ（１）であって、
前記クロスフェード装置（１００）は、
第一の信号を受信するために設けられている第一の入力部（１１０ａ）と、
第二の信号を受信するために設けられている第二の入力部（１１０ｂ）と、
信号伝送式に前記第一の入力部（１１０ａ）に接続されているとともに、前記第一の信号を、特に所定の程度で減衰させ、第一の減衰信号を供給するために構成されている第一の減衰装置（１２０ａ）と、
信号伝送式に前記第二の入力部（１１０ｂ）に接続されているとともに、前記第二の信号を、特に所定の程度で減衰させ、第二の減衰信号を供給するために構成されている第二の減衰装置（１２０ｂ）と、
前記第一の減衰信号と前記第二の減衰信号を加算し、対応する出力信号を出力するために構成されている加算装置（１３０）と、を有するレーダターゲットエミュレータ。
【請求項２】
前記第一および第二の減衰装置（１２０ａ，１２０ｂ）は、少なくとも実質的に互いに独立して調整可能である、請求項１に記載のレーダターゲットエミュレータ。
【請求項３】
前記第一の減衰装置（１２０ａ）および／または前記第二の減衰装置（１２０ｂ）は、調整可能な減衰装置、特に可変式および／またはインクリメンタルに、特に少なくとも実質的に連続的および／またはダイナミックに調整可能な減衰装置である、請求項１または２に記載のレーダターゲットエミュレータ。
【請求項４】
請求項１から３のいずれか一項に記載のレーダターゲットエミュレータであって、さらに、
第三の信号を受信するために設けられている第三の入力部（１１０ｃ）と、
信号伝送式に前記第三の入力部（１１０ｃ）に接続されているとともに、前記第三の信号を、特に所定の程度で減衰させ、第三の減衰信号を供給するために構成されている第三の減衰装置（１２０ｃ）と、を有し、
前記加算装置（１３０）は、前記第一の減衰信号と前記第二の減衰信号と前記第三の減衰信号とを加算し、対応する出力信号を出力するために構成されている、レーダターゲットエミュレータ。
【請求項５】
前記第一の信号と、前記第二の信号と、特に前記第三の信号とは、共通の原信号（Ｕ））に遡り、特に少なくとも一つの特性、特に時間遅延に関して互いに異なっている、請求項１から４のいずれか一項に記載のレーダターゲットエミュレータ。
【請求項６】
前記第一の減衰装置（１２０ａ）の減衰レベルおよび／または前記第二の減衰装置（１２０ｂ）の減衰レベル、特におよび／または前記第三の減衰装置（１２０ｃ）の減衰レベルは、極小値と極大値の間で調整され、および／または変化させられ、特に前記極大値は少なくとも実質的に１００％の減衰に相当し、および／または前記極小値は少なくとも実質的に０％の減衰に相当する、請求項１から５のいずれか一項に記載のレーダターゲットエミュレータ。
【請求項７】
特に請求項１から６のいずれか一項に記載のレーダターゲットエミュレータを用いて、信号をクロスフェードするための方法であって、
Ｓ１  第一の減衰装置に第一の信号を与えるとともに、第二の減衰装置に第二の信号を与えるステップと、
Ｓ２  前記第一および前記第二の減衰装置を用いて、前記第一の信号と前記第二の信号を、特に異なる減衰レベルで減衰させるステップであって、前記第一の減衰装置および／または前記第二の減衰装置の減衰レベルは、特にダイナミックおよび／またはインクリメンタルに、特に少なくとも実質的に連続的に調整すること、および／または変化させることができるステップと、
Ｓ３  第一の減衰信号と第二の減衰信号を供給するステップと、
Ｓ４  前記第一の減衰信号と前記第二の減衰信号を、出力信号が前記第一の信号と前記第二の信号の所望の混合を有するように加算するステップと、
Ｓ５  出力信号を供給するステップと、を有する方法。
【請求項８】
請求項７に記載の方法であって、
Ｓ１において付加的に第三の信号が第三の減衰装置に与えられ、
Ｓ２において付加的に前記第三の減衰装置を用いて、前記第三の信号は、特に前記第一および／または前記第二の減衰装置の減衰レベルと異なる減衰レベルで変化させられ、前記第三の減衰装置の減衰レベルは、特にダイナミックおよび／またはインクリメンタルに、特に少なくとも実質的に連続的に変化させることができ、
Ｓ３において付加的に第三の減衰信号を供給し、
Ｓ４において前記第一の減衰信号と前記第二の減衰信号と前記第三の減衰信号を、出力信号が前記第一の信号と前記第二の信号と前記第三の信号の所望の混合を有するように加算する、方法。
【請求項９】
前記第一の減衰装置の減衰レベルおよび／または前記第二の減衰装置の減衰レベル、特におよび／または前記第三の減衰装置の減衰レベルは、極小値と極大値の間で調整され、および／または変化させられ、特に極大値は少なくとも実質的に１００％の減衰に相当し、および／または極小値は少なくとも実質的に０％の減衰に相当する、請求項７または８に記載の方法。
【請求項１０】
請求項８および９に記載の方法であって、
Ｓ２ａ  前記第一の減衰装置の減衰レベルが高められる一方、少なくとも実質的に同時に、前記第二の減衰装置の減衰レベルは低減され、前記第三の減衰装置の減衰レベルは特に恒常的に、少なくとも実質的に極大値、特に１００％に相当するステップと、
Ｓ２ｂ  前記第一の減衰装置の減衰レベルが、少なくとも実質的に極大値、特に少なくとも実質的に１００％に到達し、前記第二の減衰装置の減衰レベルが、少なくとも実質的に極小値、特に少なくとも実質的に０％に到達したとき、
前記第二の減衰装置の減衰レベルが高められる一方、少なくとも実質的に同時に、前記第三の減衰装置の減衰レベルは低減され、前記第一の減衰装置の減衰レベルは特に恒常的に、少なくとも実質的に極大値、特に１００％に相当し、
第四の信号を前記第一の減衰装置に与えるステップと、を有する方法。
【請求項１１】
請求項１０に記載の方法であって、
Ｓ２ｂにおいて、付加的に第四の信号が前記第一の減衰装置に与えられ、
Ｓ２ｃにおいて、前記第二の減衰装置の減衰レベルが、少なくとも実質的に極大値、特に少なくとも実質的に１００％に到達し、前記第三の減衰装置の減衰レベルが、少なくとも実質的に極小値、特に少なくとも実質的に０％に到達したとき、
前記第三の減衰装置の減衰レベルが高められる一方、少なくとも実質的に同時に、前記第一の減衰装置の減衰レベルは低減され、前記第二の減衰装置の減衰レベルは特に恒常的に、少なくとも実質的に極大値、特に１００％に相当する、方法。
【発明の詳細な説明】
【技術分野】
【０００１】
本発明はクロスフェード装置を備えるレーダターゲットエミュレータに関する。
【背景技術】
【０００２】
特に地上に配備される車両、例えば乗用車、トラック、またはオートバイなどのモバイルシステムの複雑性は、近年増大し続けている。排気および／または燃料消費を低減すること、あるいは運転の快適さを増大させることと並んで、モバイルシステムの複雑化も、まさに大都市圏において常に増大する交通量と、それに伴って増大する様々な運転状況の複雑性の処理を容易にするために行われている。これを担うのは通常、運転者支援システムであり、当該運転者支援システムは車両内センサを介して、および／または他の車両および／または定置箇所もしくは施設との通信を介して、車両環境に関する情報、特に予測されるルートを、標準的状況および／または極端な状況において、指示の型式で運転者を支援するため、および／または車両挙動にアクティブに介入するために用いる。
【０００３】
多くの場合、少なくとも上記のセンサシステムの構成要素としてレーダセンサが用いられ、当該レーダセンサは障害物および／または先行車両などに関して車両の直接的な周囲を監視する。このような支援システムを評価するために、これらのセンサに対して一の、特に仮想的なテストシナリオに関する情報を供給し、当該支援システムの反応を分析することが知られている。
【０００４】
特許文献１から、プログラム可能な光ファイバ遅延ラインおよびそれを含むレーダターゲットシミュレーションシステムが知られている。遅延ラインの特別な型式が開示されており、各遅延ラインは、予め定められた光遅延を有する多数の光ファイバセグメントと、所望の遅延に累積するセグメントのみを集合遅延ラインに互いに接続させるためのスイッチング機構を含む。一の実施例において異なるセグメントは、互いに異なる長さおよび対応した異なる遅延期間を有し、２進数列で配置されている。選択されたセグメントは、集合遅延ラインに切り替えられ、望まないセグメントに対しては、光バイパスが集合遅延ラインに切り替えられる。開示されたシステムはこのとき好適に二つのこのような遅延ラインを有しており、作動時に適切な長さを有する第一の遅延ラインはアクティブに切り替えられており、すなわち信号を伝送する一方、第二の遅延ラインは非アクティブに切り替えられている。この第二の遅延ラインにおいて次に必要とされる長さが調整され、その後、第一のラインから第二のラインへの切り替えが行われ、このようなやり方で比較的大きな位相ジャンプを回避することができる。
【先行技術文献】
【特許文献】
【０００５】
【特許文献１】独国特許出願公開第６９２２１１２１号明細書
【発明の概要】
【発明が解決しようとする課題】
【０００６】
上記の点に鑑み、本発明は、クロスフェード装置を備えるレーダターゲットエミュレータもしくは信号をクロスフェードするための方法であって、従来技術に対して改善されているものを記載することを課題とする。
【０００７】
上記の課題は本発明によれば、請求項１に記載のクロスフェード装置を備えるレーダターゲットエミュレータと、請求項７に記載の信号をクロスフェードするための方法とによって解決される。
【０００８】
本発明の第一の態様は、クロスフェード装置を備えるレーダターゲットエミュレータに関し、クロスフェード装置は、第一の信号を受信するために設けられている第一の入力部と、第二の信号を受信するために設けられている第二の入力部と、信号伝送式に第一の入力部に接続されているとともに、第一の信号を、特に所定の程度で減衰させ、第一の減衰信号を供給するために構成されている第一の減衰装置と、信号伝送式に第二の入力部に接続されているとともに、第二の信号を、特に所定の程度で減衰させ、第二の減衰信号を供給するために構成されている第二の減衰装置と、第一の減衰信号と第二の減衰信号を加算し、対応する出力信号を出力するために構成されている加算装置と、を有する。
【０００９】
これは特に有利であるが、それはこのようなやり方で対象物の移動が、次の距離セグメントへの突然の切り替えによってエミュレートされるのではなく、好適には隣接する距離セグメントから、減衰装置を用いて疑似的にあらゆる任意の中間位置が調整され、それにより少なくとも実質的に連続的な移動を、高周波信号の有意な位相ジャンプを有さずに写像するためである。
【００１０】
本発明は、異なる長さで遅延させられた二つの信号をオーバーラップさせると、一の信号が生じ、当該信号の「重心」は、振幅によって重みづけされた、元の遅延の平均値に相当するという認識に基づいている。この関係は図１において、時間的なずれを有する信号ｓ（ｔ−ｔ１）およびｓ（ｔ−ｔ２）に基づいて表示される。時間的なずれを有するこれらの信号の線形結合ａｓ（ｔ−ｔ１）＋（１−ａ）ｓ（ｔ−ｔ２）の「重心」はこうして、ｔ１とｔ２の間でパラメータａを適切に選択することにより、ずらすことができる。好ましくはこのやり方で、近似的に中間にあるあらゆる遅延をシミュレートすることが可能である。ＦＭＣＷレーダセンサ（もしくは連続波レーダセンサ）の場合、挙動はさらに改善されるが、それは異なる遅延を介して両方の信号が、異なるけれども互いに接近している周波数を有しているためである。これらの信号をオーバーラップさせると、いわゆるうなり、すなわち振幅変調された振動が生じる。この振動の周波数は、本発明の一の実施によれば両方の元の周波数の重みづけされた平均値に相当する。このやり方で好適に、必要な距離間隔において少なくとも実質的にあらゆる周波数はシミュレートされ、それとともにゼロと極大値の間のあらゆる遅延はシミュレートされる。
【００１１】
本発明による「レーダターゲットエミュレータ」とは特にセンサ、特に車両のセンサを刺激するための装置であり、当該装置は特にセンサのレーダ信号を受信し、変調してセンサに戻し、変調の際にテストシナリオが写像され、それによりこの、特に仮想的なテストシナリオにおける制御機器の反応を特定するとともに評価する。
【００１２】
本発明による「クロスフェード装置」とは特に、第一の状態において第一の信号に基づいている出力信号を、特に少なくとも実質的に連続的に変化させるために備えられ、特に構成されている装置であり、それにより出力信号は第二の状態において少なくとも実質的に第二の信号に基づいている。
【００１３】
本発明による「信号」とは特に、高周波信号、特にレーダ信号である。
【００１４】
本発明による「減衰装置」とは特に、入力信号を特に所定の程度において変化させ、特に減衰させるとともに、相応に変化させられた信号を供給するために備えられ、特に構成されている装置である。本発明による減衰装置は一の実施によれば、減衰および／または増幅装置として形成されていてもよく、すなわち本発明による減衰装置を介した入力信号の増幅も、一の実施による保護範囲に明示的に含まれている。
【００１５】
本発明による「加算装置」とは特に、高周波技術の領域における電気的にパッシブな構成素子であり、当該構成素子は導波として説明される電磁出力を導体構造体内に結合するために役立つ。本発明による加算器は一の実施の形態によれば、変圧器およびコンデンサを有するブリッジ回路、または例えばストリップラインの型式の電気的導体プレート上の導線カップラー、または導波管の組み合わせを有している。しかしながら本発明による加算装置は、例えば広帯域の演算増幅器を備える加算回路の使用により、アクティブに実現することもできる。
【００１６】
本発明の一の実施によれば、第一および第二の減衰装置は少なくとも実質的に互いに独立して調整可能である。これは特に有利であるが、それはこのようなやり方で、レーダターゲットエミュレータを制御する際に有利な柔軟性が可能となるからである。
【００１７】
本発明の一のさらなる実施によれば、第一の減衰装置および／または第二の減衰装置は、調整可能な減衰装置、特に可変式および／またはインクリメンタルに、特に少なくとも実質的に連続的および／またはダイナミックに調整可能な減衰装置である。これは特に有利であるが、それはこのようなやり方で出力信号における上記の位相ジャンプを緩和すること、特に回避することができるからであり、それは評価すべきシステムの観点からすると、有利なことにテストシナリオの現実に近い写像を生じさせる。
【００１８】
本発明の一のさらなる実施によれば、加算装置はクロスフェード加算器を有する。
【００１９】
本発明の一のさらなる実施によればレーダターゲットエミュレータはさらに、第三の信号を受信するために設けられている第三の入力部と、第三の入力信号電界と接続されているとともに、第三の信号を、特に所定の程度で減衰させ、第三の減衰信号を供給するために構成されている第三の減衰装置とを有し、加算装置は、第一の減衰信号と第二の減衰信号と第三の減衰信号とを加算し、対応する出力信号を出力するために構成されている。
【００２０】
一の実施の形態によれば第一の信号、第二の信号、および第三の信号は、互いに異なる遅延を有する原信号によって形成される。当該遅延は、エミュレートされる対象物がレーダセンサに対して有するエミュレートされた距離に相当する。対象物が車両に向かって移動する、もしくは車両と対象物との距離が小さくなることをエミュレートすべきとき、第一の信号および第二の信号は、エミュレートすべき距離がそれぞれ写像された距離の間にあるように決定される。以下において方法に関して説明されるように、エミュレートすべき距離は、対応する減衰装置を作動させることにより、エミュレートすべき距離が少なくとも実質的に両方の信号の一つと一致するまで、変化する重み係数を用いて両方の信号から調整される。さらにまた、少なくとも実質的に有意な位相ジャンプを有さずに距離写像を生じさせられるように、ここで説明される第三の入力部は第三の減衰装置を備えている。第三の信号として、エミュレートされる移動方向（すなわちセンサに向かう、もしくはセンサから離れる）に応じて、特に次の必要な距離間隔を形成する上記の両方の信号の一つと共に一の信号が選択され、第三の入力部に与えられる。第三の減衰装置を介して、エミュレートすべき対象物の移動方向のエミュレーションは、少なくとも実質的に連続的に続けることができる。これは特に有利であるが、それはこのやり方でテストシナリオの写像の正確性がさらに向上しているからである。
【００２１】
本発明の一のさらなる実施によれば、第一の信号と、第二の信号と、特に第三の信号とは、共通の原信号に遡り、特に少なくとも一つの特性、特に時間遅延に関して、互いに異なっている。ここで説明されるように、一の実施によれば、現実のセンサ、例えば評価すべき車両のセンサから送信されるレーダ信号が受信され、遅延させられ、仮想のテストシナリオを写像する過程でさらなる変調を行うために供給される。本発明の一の実施によれば、三つの信号は少なくとも実質的に、被った遅延に関してのみ異なり、当該遅延はさらなる経過において、センサに対して互いに異なる距離にある異なる対象物のエミュレーションに役立つ。これは特に有利であるが、それはこのようなやり方で複数の信号を人工的に作り出す必要がなく、車両のセンサに入力する必要がなく、センサ自体によって作られた信号を原信号として利用することができるからであり、これもまた現実により近いものであり、したがってテストシナリオの写像の正確性を良好にすることに寄与する。
【００２２】
本発明の一のさらなる実施によれば、第一の減衰装置の減衰レベルおよび／または第二の減衰装置の減衰レベル、特におよび／または第三の減衰装置の減衰レベルは、極小値と極大値の間で調整され、および／または変化させられ、特に極大値は少なくとも実質的に１００％の減衰に、および／または極小値は少なくとも実質的に０％の減衰に相当する。言い換えれば、少なくとも実質的に１００％の減衰の場合、それぞれ与えられた入力信号は少なくとも実質的に完全に抑制される一方、少なくとも実質的に０％の減衰の場合、それぞれ与えられた入力信号は、少なくとも実質的に変化せずに伝送される。これは特に有利であるが、それはこのようなやり方で同じく位相ジャンプの出現が少なくとも緩和され、特に少なくとも実質的に防止されるからである。
【００２３】
本発明のさらなる態様は、特に本願で説明される型式のレーダターゲットエミュレータを用いて、信号をクロスフェードするための方法に関し、当該方法は以下のステップ、すなわち、
Ｓ１  第一の減衰装置に第一の信号を与えるとともに、第二の減衰装置に第二の信号を与えるステップと、
Ｓ２  第一および第二の減衰装置を用いて、第一の信号と第二の信号を、特に異なる減衰レベルで減衰させるステップであって、第一の減衰装置および／または第二の減衰装置の減衰レベルは、特にダイナミックおよび／またはインクリメンタルに、特に少なくとも実質的に連続的に調整すること、および／または変化させることができるステップと、
Ｓ３  第一の減衰信号と第二の減衰信号を供給するステップと、
Ｓ４  第一の減衰信号と第二の減衰信号を、出力信号が第一の信号と第二の信号の所望の混合を有するように加算するステップと、
Ｓ５  出力信号を供給するステップと、を有する。
【００２４】
さらなる好適な実施の形態および対応する有利点については、重複を避けるために、レーダターゲットエミュレータに関する上記の説明が参照される。
【００２５】
本発明に係る方法の一の実施によれば、Ｓ１において付加的に第三の信号が第三の減衰装置に与えられ、Ｓ２において付加的に第三の減衰装置を用いて第三の信号は、特に第一および／または第二の減衰装置の減衰レベルと異なる減衰レベルで変化させられ、第三の減衰装置の減衰レベルは、特にダイナミックおよび／またはインクリメンタルに、特に少なくとも実質的に連続的に変化させることができる。Ｓ３において付加的に第三の減衰信号を供給し、Ｓ４において第一の減衰信号と第二の減衰信号と第三の減衰信号を、出力信号が第一の信号と第二の信号と第三の信号の所望の混合を有するように加算する。さらなる好適な実施の形態および対応する有利点については、重複を避けるために、レーダターゲットエミュレータに関する上記の説明が参照される。
【００２６】
本発明に係る方法の一のさらなる実施によれば、第一の減衰装置の減衰レベルおよび／または第二の減衰装置の減衰レベル、特におよび／または第三の減衰装置の減衰レベルは、極小値と極大値の間で調整され、および／または変化させられ、特に極大値は少なくとも実質的に１００％の減衰に相当し、および／または極小値は少なくとも実質的に０％の減衰に相当する。さらなる好適な実施の形態および対応する有利点については、重複を避けるために、レーダターゲットエミュレータに関する上記の説明が参照される。
【００２７】
本発明に係る方法の一の実施によれば、方法はさらに以下のステップ、すなわち、
Ｓ２ａ  第一の減衰装置の減衰レベルが高められる一方、少なくとも実質的に同時に、第二の減衰装置の減衰レベルは低減され、第三の減衰装置の減衰レベルは特に恒常的に、少なくとも実質的に極大値、特に１００％に相当するステップと、
Ｓ２ｂ  第一の減衰装置の減衰レベルが、少なくとも実質的に極大値、特に少なくとも実質的に１００％に到達し、第二の減衰装置の減衰レベルが、少なくとも実質的に極小値、特に少なくとも実質的に０％に到達したとき、
第二の減衰装置の減衰レベルが高められる一方、少なくとも実質的に同時に、第三の減衰装置の減衰レベルは低減され、第一の減衰装置の減衰レベルは特に恒常的に、少なくとも実質的に極大値、特に１００％に相当し、
第四の信号を第一の減衰装置に与えるステップと、を有する。
【００２８】
これは特に有利であるが、それはこのようなやり方で対象物距離の所望のエミュレーションを、位相ジャンプが緩和された状態で、特に少なくとも実質的に位相ジャンプが防止された状態で、特に少なくとも実質的に位相ジャンプを有さずに実現することができるからである。ステップＳ２ａでは第一の信号と第二の信号とをクロスフェードすることが説明され、これに対してステップＳ２ｂでは、距離が少なくとも実質的に第二の信号によってエミュレートされる距離に相当し、したがって他の距離領域への「切り替え」を行わなければならず、当該他の距離領域内ではその後距離が再び、少なくとも実質的に連続的に調整され得るとき、エミュレートすべき対象物距離を、どのようにさらに変化させることができるか説明されている。これは特に有利であるが、それはこのようなやり方でまた、比較的大きな距離から接近する対象物、もしくは車両から離れてゆく対象物を有利なやり方でエミュレートすることができるからである。
【００２９】
本発明に係る方法の一のさらなる実施によれば、以下のステップ、すなわち
Ｓ２ｂにおいて、付加的に第四の信号が第一の減衰装置に与えられ、
Ｓ２ｃにおいて、第二の減衰装置の減衰レベルが、少なくとも実質的に極大値、特に少なくとも実質的に１００％に到達し、第三の減衰装置の減衰レベルが、少なくとも実質的に極小値、特に少なくとも実質的に０％に到達したとき、
第三の減衰装置の減衰レベルが高められる一方、少なくとも実質的に同時に、第一の減衰装置の減衰レベルは低減され、第二の減衰装置の減衰レベルは特に恒常的に、少なくとも実質的に極大値、特に１００％に相当する。
【００３０】
これは特に有利であるが、それはこのようなやり方でまた、さらなる距離領域へのクロスフェードを、特に少なくとも実質的に出力信号における位相ジャンプを有さずに行うことができるからであり、それは第四の信号が入力部であって、当該入力部の減衰装置が少なくとも実質的に１００％の極大値の領域内で移動する入力部に与えられるからであり、これにより切り替えの際に生じる位相ジャンプは、少なくとも実質的に出力信号に入り込まないことになる。言い換えれば、必要とされる次の距離領域をエミュレートするために必要とされる信号は、それぞれクロスフェード装置の非アクティブな入力部に与えられる。それぞれの入力部が非アクティブであると見なされる理由は、それぞれの時点でのクロスフェードが他の両方の減衰装置の間で行われ、非アクティブな入力部の減衰レベルが少なくとも実質的に１００％であることであり、それによりすでに述べたように、これに応じて与えられる信号の変化は、少なくとも実質的にクロスフェード装置の出力信号に影響を及ぼさない。
【００３１】
以下において図に表示されている限定的でない実施の形態に基づいて、本発明をより詳しく説明する。図において少なくとも部分的に概略的に示すのは以下のとおりである。
【図面の簡単な説明】
【００３２】
【図１】二つの信号のオーバーラップの一例である。
【図２】本発明の一の実施によるクロスフェード装置の基本概念の回路図である。
【図３】本発明の一の実施によるクロスフェード装置を備えるレーダターゲットエミュレータの回路図である。
【図４】本発明の一のさらなる実施によるクロスフェード装置を備えるレーダターゲットエミュレータの回路図である。
【発明を実施するための形態】
【００３３】
図２は、本発明の一の実施によるクロスフェード装置１００の基本概念の極めて概略的な回路図である。図２の実施の形態によればクロスフェード装置１００は、５個の減衰装置１２０ａ，１２０ｂ，１２０ｃおよび複数の、本図では特に５個の加算装置１３０を有する。元信号Ｕは直列式に接続された時間遅延構成体２００のチェーンに供給される。
【００３４】
それぞれの時間遅延構成体２００は時間遅延機器と、方向性結合器と、場合により増幅器とを有する。時間遅延機器を用いて元信号は遅延させられる。上記においてすでに説明したようにこの遅延を用いて、テストセンサに対する変調すべき対象物の距離が写像される。このように遅延させられた信号は、方向性結合器を介して分岐され、分岐信号は場合により増幅器を介して増幅され、第一の減衰装置１２０ａに入力信号として供給される。図２に示す本実施の場合、前記の型式の５個の時間遅延構成体２００は直列式に接続されており、それぞれ後置された時間遅延構成体２００の入力信号は、前置された時間遅延構成体２００の出力信号を有し、特に後置された時間遅延構成体２００の入力信号は、前置された時間遅延構成体２００の出力信号によって形成される。当該直列接続を介して、それぞれの減衰装置１２０ａ，１２０ｂ，１２０ｃに対して全体で５個の入力信号が供給され、当該入力信号はそれぞれ当該入力信号の遅延において異なっている。表示された時間遅延構成体によって提供される時間遅延は必ずしも同一ではないことに留意すべきである。むしろ一の実施によれば、それぞれの時間遅延構成体２００に対して、例えばセンサへの１ｍ、２ｍ、４ｍおよび８ｍなどの距離を写像するために、異なる時間遅延を与えることが有利である。
【００３５】
一の実施によれば元信号Ｕは、テストセンサの現実のレーダセンサから送信される信号であり、レーダセンサの前に設けられた受信装置により受信され、信号方向において第一の時間遅延構成体２００に供給される。このように特に有利なやり方で、単独の遅延線のみを用いることが可能であり、当該単独の遅延線は異なる遅延を有する信号を、写像すべき対象物のエミュレーションのために供給することができる。
【００３６】
減衰装置１２０ａ，１２０ｂ，１２０ｃの（入力）信号は所定の程度で減衰させられ、減衰信号として供給される。図２の実施によれば減衰装置１２０ａ，１２０ｂ，１２０ｃのそれぞれに対して、加算装置１３０がそれぞれ設けられており、加算装置は減衰信号を出力信号Ａの成分として伝送するために構成されている。
【００３７】
図３には本発明の一の実施によるクロスフェード装置１００を備えるレーダターゲットエミュレータ１の回路図が示されている。図３のクロスフェード装置１００は、３個の減衰装置１２０ａ，１２０ｂ，１２０ｃのみが設けられている点で、少なくとも実質的に図２のクロスフェード装置と異なる。上記においてすでに説明したように本発明の一の実施によれば３個の減衰装置で十分であるが、それは本発明の一の実施によれば出力信号Ａが常に二つの減衰装置１２０ａ，１２０ｂ，１２０ｃを用いて調整される一方、残りの減衰装置は少なくとも実質的に１００％の減衰レベルを有し、したがってパッシブに切り替えられているからである。当該残りの減衰装置に、時間的推移において次に必要とされる距離領域を定義するために必要な信号が与えられる。距離領域を変更した後、他の両方の減衰装置１２０ａ，１２０ｂ，１２０ｃの一つはパッシブに切り替えられている。この段階において対応する減衰装置がパッシブに切り替えられている一方で、次の領域変更を準備するために、対応する入力部にはすでに、後続の距離領域を提供するために必要である信号を与えることができる。
【００３８】
したがって図３に示されるように、クロスフェード装置１００の入力部１１０ａ，１１０ｂ，１１０ｃの数は３個に減っている。これはクロスフェード装置１００の構成上の複雑さを低減させる。しかしながら図３に示されるように、複数の時間遅延構成体２００（本図では７個）を信号伝送式に入力部に接続するために、切り替え装置３００が設けられている。
【００３９】
切り替え装置３００はこの場合、２４個の切り替え構成体（図示せず）を有し、当該切り替え構成体は８列で３行のマトリックスの型式で相互接続されている。したがって本発明の一の実施によれば、マトリックスの列は写像すべき対象物の異なる距離に相当し、３個の入力部１１０ａ，１１０ｂ，１１０ｃのそれぞれに対して独自の行が備えられている。
【００４０】
本発明の一の実施によれば切り替え装置３００の切り替え構成体は、方向性結合器と、切り替え機器と、加算装置とを有する。時間遅延構成体の一つから供給された信号は、方向性結合器を介して第一の出力信号と分岐信号とに分岐させられ、当該分岐信号は切り替え機器に供給される。切り替え機器は少なくとも二つの切り替え状態の間、すなわち第一の切り替え状態と第二の切り替え状態の間で往復式に切り替えを行うために構成されており、分岐信号は第一の切り替え状態では加算装置１００に供給され、第二の切り替え状態では伝送されない。加算装置は第二の信号を分岐信号と組み合わせて第二の出力信号にする。一の実施によれば、正しい相互接続を確保するために、特に切り替え装置の信号方向において最前の列に、必ずしも第二の入力信号が与えられる必要はない。この場合、第二の出力信号は少なくとも実質的に、分岐信号のみから形成される。説明したばかりのマトリックス構成を介して、時間遅延構成体の個々の任意の信号を減衰装置１２０ａ，１２０ｂ，１２０ｃの少なくとも一つに伝送することが可能である。
【００４１】
図４は、本発明の一のさらなる実施によるクロスフェード装置１００を備えるレーダターゲットエミュレータ１の回路図を示している。図３に示すレーダターゲットエミュレータ１に対して図４に示すレーダターゲットエミュレータ１は、直列接続された６個の時間遅延構成体２００を示し、当該時間遅延構成体はそれぞれ３τの時間遅延を生じさせる。このように作り出された第一の入力信号は、元信号と同じように上記において説明された型式の切り替え装置３００に入力されるが、当該切り替え装置は７列で２行のマトリックスの型式で構成されている。このように生じさせられた両方の第二の出力信号のそれぞれは、直列式に接続されているとともにそれぞれτの時間遅延を実現している３個の時間遅延構成体２００のさらなるブロックに伝えられるとともに、場合により再度遅延させられた信号が減衰装置１２０ａ，１２０ｂ，１２０ｃの一つに供給される前に、６列で３行のマトリックスの型式のさらなる切り替え装置３００に伝えられる。
【００４２】
切り替え装置と時間遅延構成体とのこの階層的な構成により、遅延に関してそれぞれ３τに調整可能な第二の出力信号を、さらに１τに分解することが可能である。これは付加的にレーダターゲットエミュレータ１の写像の正確性を高め、このアプローチを介して時間遅延構成体２００の第一の直列接続のためのコストを低く保つことができる一方、出力信号Ａに対する分解能とスケーラビリティは少なくとも保持され、特に改善される。
【符号の説明】
【００４３】
１  レーダターゲットエミュレータ
１００  クロスフェード装置
１１０ａ  （第一の）入力部
１１０ｂ  （第二の）入力部
１１０ｃ  （第三の）入力部
１２０ａ  （第一の）減衰装置
１２０ｂ  （第二の）減衰装置
１２０ｃ  （第三の）減衰装置
１３０  加算装置
Ｕ  元信号
【図１】
2020503523.tif 000003
【図２】
2020503523.tif 000004
【図３】
2020503523.tif 000005
【図４】
2020503523.tif 000006
【国際調査報告】
2020503523.tif 000007
2020503523.tif 000008
2020503523.tif 000009
2020503523.tif 000010
2020503523.tif 000011
2020503523.tif 000012